(57)【要約】【課題】隠蔽紙片付カード及びカード紙片付印刷物において、粘着層を有するシールを用いることなく、カードに記載された情報を隠蔽することができ、隠蔽を解除した後も隠蔽した情報を確実に読み取れるようにする。【解決手段】カード紙片と、該カード紙片に連設されて折り重ね可能な隠蔽紙片と、該隠蔽紙片の一部を前記カード紙片に係合させて固定させる係合固定手段を備えた隠蔽紙片付カード、及び、用紙と、該用紙に分離可能に形成されたカード紙片と、前記用紙に分離可能に形成された隠蔽紙片と、該隠蔽紙片の一部を前記カード紙片に係合させて固定させる係合固定手段を備えたカード紙片付印刷物。【選択図】図１
2017013326.tif 000002
【特許請求の範囲】
【請求項１】
カード紙片と、該カード紙片に連設されて該カード紙片に折り重ね可能な隠蔽紙片と、該隠蔽紙片の一部を前記カード紙片に係合させて固定させる係合固定手段を備えたことを特徴とする隠蔽紙片付カード。
【請求項２】
前記係合固定手段は、前記カード紙片に形成された前記隠蔽紙片の一部が差し込まれる切り込みであることを特徴とする請求項１記載の隠蔽紙片付カード。
【請求項３】
前記カード紙片は、葉書本体であることを特徴とする請求項１又は請求項２記載の隠蔽紙片付カード。
【請求項４】
用紙と、該用紙に分離可能に形成されたカード紙片と、前記用紙に分離可能に形成された隠蔽紙片と、該隠蔽紙片の一部を前記カード紙片に係合させて固定させる係合固定手段を備えたことを特徴とするカード紙片付印刷物。
【請求項５】
少なくとも第１の面と第２の面を備え、前記第１の面を前記第２の面に折り重ねて剥離可能な接着剤により擬似接着させた用紙と、
前記第１の面又は前記第２の面を打抜いて形成されたカード紙片と、
前記第１の面又は前記第２の面を打抜いて形成された隠蔽紙片と、
前記隠蔽紙片の一部を前記カード紙片に係合させて固定させる係合固定手段とを備え、
前記カード紙片及び前記隠蔽紙片が、前記第１の面又は前記第２の面に擬似接着されていることを特徴とするカード紙片付印刷物。
【請求項６】
第１の用紙と、
前記第１の用紙に剥離可能な接着剤により擬似接着させた第２の用紙と、
前記第１の用紙又は前記第２の用紙を打抜いて形成されたカード紙片と、
前記第１の用紙又は前記第２の用紙を打抜いて形成された隠蔽紙片と、
前記隠蔽紙片の一部を前記カード紙片に係合させて固定させる係合固定手段とを備え、
前記カード紙片及び前記隠蔽紙片が、前記第１の用紙又は前記第２の用紙に擬似接着されていることを特徴とするカード紙片付印刷物。
【請求項７】
前記隠蔽紙片は前記カード紙片に連設されていることを特徴とする請求項４乃至請求項６のいずれかに記載したカード紙片付印刷物。
【請求項８】
前記係合固定手段は、前記カード紙片に形成された前記隠蔽紙片の一部が差し込まれる切り込みであることを特徴とする請求項４乃至請求項７のいずれかに記載したカード紙片付印刷物。
【請求項９】
前記カード紙片は、葉書本体であることを特徴とする請求項４乃至請求項８のいずれかに記載したカード紙片付印刷物。
【発明の詳細な説明】
【技術分野】
【０００１】
本発明は、カード紙片に隠蔽紙片が連設された隠蔽紙片付カード及び用紙の一部にカード紙片及び隠蔽紙片が分離可能に形成されたカード紙片付印刷物に関するものである。
【背景技術】
【０００２】
葉書、クーポン等のサービス券、チケット類、会員証等のカードにおいては、個人情報や秘密にすべき情報を隠蔽するため、各種隠蔽手段が取られている。
例えば、特開２０１２−８６４０４号公報（特許文献１）には、返信はがき用紙片を含む複数のはがき大紙片からなる用紙を折り畳み、相対向する紙面を剥離可能に貼り合わせた貼り合わせはがきにおいて、返信はがき用紙片に貼り合わされる紙片の一部を返信はがき用紙片上の個人情報記載部分に貼り合わせて目隠しシールとして機能させた目隠しシール付貼り合わせはがきが開示されている。
また、実用新案登録第３１４４６７６号公報（特許文献２）には、ハガキ本体に折り曲げ線を介して連接された粘着剤層を有する隠蔽シールを、折り曲げ線にて二つ折りにすることによって、ハガキ本体の通信面の一部を隠蔽することができる隠蔽ハガキが開示されている。
さらに、特開２００４−１３３０６５号公報（特許文献３）には、紙片を重ねて貼り合せた二重構造の広告紙に、返信はがき部と貼付シールを設け、返信はがき部を切り取って返信はがきとして使用する場合に、貼付シールで返信はがきを隠蔽できる剥離・再接着シール付き広告用印刷物が開示されている。
【０００３】
しかしながら、特許文献１の貼り合わせはがき、特許文献２の隠蔽ハガキ、特許文献３の広告用印刷物においては、粘着層を有する目隠しシール、隠蔽シールや貼付シールで、はがきに記載された情報が隠蔽され、隠蔽した部分に記載した情報を見るためには、目隠しシール等を剥がす必要がある。
このため、目隠しシール等を剥がすときに、そこに印字等されていた文字等の一部が目隠しシール等の粘着剤によって剥がされたり、目隠しシール等を剥がした後に、粘着剤の一部がはがきに残存してそこにゴミが付着する等して汚れ、はがきの隠蔽した情報の一部が読めなくなるという問題が生じてした。特に、はがきに記載された情報を機械読取する場合には、読取エラーが生じるという問題があった。
また、実用新案登録第３１４２６９７号公報（特許文献４）には、詩文を記載した用紙を折り曲げて詩文の一部を隠せるようにした暗唱用のカードが開示されているが、このカードでは、用紙の折り曲げた部分を固定することができず、カードに記載した情報を隠蔽することができない。
【先行技術文献】
【特許文献】
【０００４】
【特許文献１】特開２０１２−８６４０４号公報
【特許文献２】実用新案登録第３１４４６７６号公報
【特許文献３】特開２００４−１３３０６５号公報
【特許文献４】実用新案登録第３１４２６９７号公報
【発明の概要】
【発明が解決しようとする課題】
【０００５】
本発明が解決しようとする課題は、隠蔽紙片付カード及びカード紙片付印刷物において、粘着層を有するシールを用いることなく、カードに記載された情報を隠蔽することができ、隠蔽を解除した後も隠蔽した情報を確実に読み取れるようにすることである。
【課題を解決するための手段】
【０００６】
本発明は、カード紙片と、該カード紙片に連設されて折り重ね可能な隠蔽紙片と、該隠蔽紙片の一部を前記カード紙片に係合させて固定させる係合固定手段を備えた隠蔽紙片付カードを提供して、上記課題を解決するものである。
【０００７】
本発明は、前記係合固定手段は、前記カード紙片に形成された前記隠蔽紙片の一部が差し込まれる切り込みである隠蔽紙片付カードを提供して、上記課題を解決するものである。
【０００８】
本発明は、前記カード紙片は、葉書本体である隠蔽紙片付カードを提供して、上記課題を解決するものである。
【０００９】
本発明は、用紙と、該用紙に分離可能に形成されたカード紙片と、前記用紙に分離可能に形成された隠蔽紙片と、該隠蔽紙片の一部を前記カード紙片に係合させて固定させる係合固定手段を備えたカード紙片付印刷物を提供して、上記課題を解決するものである。
【００１０】
本発明は、少なくとも第１の面と第２の面を備え、前記第１の面を前記第２の面に折り重ねて剥離可能な接着剤により擬似接着させた用紙と、前記第１の面又は前記第２の面を打抜いて形成されたカード紙片と、前記第１の面又は前記第２の面を打抜いて形成された隠蔽紙片と、前記隠蔽紙片の一部を前記カード紙片に係合させて固定させる係合固定手段とを備え、前記カード紙片及び前記隠蔽紙片が、前記第１の面又は前記第２の面に擬似接着されているカード紙片付印刷物を提供して、上記課題を解決するものである。
【００１１】
本発明は、第１の用紙と、前記第１の用紙に剥離可能な接着剤により擬似接着させた第２の用紙と、前記第１の用紙又は前記第２の用紙を打抜いて形成されたカード紙片と、  前記第１の用紙又は前記第２の用紙を打抜いて形成された隠蔽紙片と、前記隠蔽紙片の一部を前記カード紙片に係合させて固定させる係合固定手段とを備え、前記カード紙片及び前記隠蔽紙片が、前記第１の用紙又は前記第２の用紙に擬似接着されているカード紙片付印刷物を提供して、上記課題を解決するものである。
【００１２】
本発明は、前記隠蔽紙片は前記カード紙片に連設されているカード紙片付印刷物を提供して、上記課題を解決するものである。
【００１３】
本発明は、前記係合固定手段は、前記カード紙片に形成された前記隠蔽紙片の一部が差し込まれる切り込みであるカード紙片付印刷物を提供して、上記課題を解決するものである。
【００１４】
本発明は、前記カード紙片は、葉書本体であるカード紙片付印刷物を提供して、上記課題を解決するものである。
【発明の効果】
【００１５】
本発明の隠蔽紙片付カードにおいては、カード紙片に連設されて折り重ね可能な隠蔽紙片の一部が係合固定手段によって前記カード紙片に係合して固定されるため、粘着層を有するシールを用いることなく、前記カード紙片に記載された情報を前記隠蔽紙片によって隠蔽することができ、前記隠蔽紙片と前記カード紙片の係合固定を解除しても、前記カード紙片の隠蔽した情報が欠落したり汚れたりすることなく、隠蔽した情報を確実に読み取ることができるという効果を奏する。
【００１６】
本発明の隠蔽紙片付カードにおいては、前記係合固定手段が前記カード紙片に形成された前記隠蔽紙片の一部が差し込まれる切り込みであるため、さらに、前記カード紙片及び前記隠蔽紙片の係合固定を簡易かつ確実に行うことができるという効果を奏する。
【００１７】
本発明の隠蔽紙片付カードにおいては、前記カード紙片が葉書本体であるため、さらに、隠蔽の必要性の高い情報を隠蔽し、隠蔽した情報を確実に読み取ることができるという効果を奏する。
【００１８】
本発明のカード紙片付印刷物においては、用紙に分離可能に形成されたカード紙片と隠蔽紙片を該用紙から分離して使用する際に、前記カード紙片と前記隠蔽紙片の一部が係合固定手段によって係合して固定されるため、粘着層を有するシールを用いることなく、前記カード紙片に記載された情報を前記隠蔽紙片によって隠蔽することができ、前記隠蔽紙片と前記カード紙片の係合固定を解除しても、前記カード紙片の隠蔽した情報が欠落したり汚れたりすることなく、隠蔽した情報を確実に読み取ることができるという効果を奏する。
【００１９】
本発明のカード紙片付印刷物においては、用紙の第１の面が第２の面に折り重ねられて剥離可能な接着剤により擬似接着され、前記第１の面又は前記第２の面を打抜いてカード紙片と隠蔽紙片が形成され、前記カード紙片及び前記隠蔽紙片が、前記第１の面又は前記第２の面に擬似接着されているため、前記カード紙片及び前記隠蔽紙片を前記第１の面又は前記第２の面から容易に分離することができ、前記カード紙片と前記隠蔽紙片を分離して使用する際に、前記カード紙片と前記隠蔽紙片の一部が係合固定手段によって係合して固定されるため、粘着層を有するシールを用いることなく、前記カード紙片に記載された情報を前記隠蔽紙片によって隠蔽することができ、前記隠蔽紙片と前記カード紙片の係合固定を解除しても、前記カード紙片の隠蔽した情報が欠落したり汚れたりすることなく、隠蔽した情報を確実に読み取ることができるという効果を奏する。
【００２０】
本発明のカード紙片付印刷物においては、第１の用紙と第２の用紙が剥離可能な接着剤により擬似接着され、前記第１の用紙又は前記第２の用紙を打抜いてカード紙片と隠蔽紙片が形成され、前記カード紙片及び前記隠蔽紙片が、前記第１の用紙又は前記第２の用紙に擬似接着されているため、前記カード紙片及び前記隠蔽紙片を前記第１の用紙又は前記第２の用紙から容易に分離することができ、前記カード紙片と前記隠蔽紙片を分離して使用する際に、前記カード紙片と前記隠蔽紙片の一部が係合固定手段によって係合して固定されるため、粘着層を有するシールを用いることなく、前記カード紙片に記載された情報を前記隠蔽紙片によって隠蔽することができ、前記隠蔽紙片と前記カード紙片の係合固定を解除しても、前記カード紙片の隠蔽した情報が欠落したり汚れたりすることなく、隠蔽した情報を確実に読み取ることができるという効果を奏する。
【００２１】
本発明のカード紙片付印刷物においては、前記隠蔽紙片は前記カード紙片に連設されているため、さらに、前記カード紙片及び前記隠蔽紙片を前記第１の用紙又は前記第２の用紙からより容易に分離することができ、前記カード紙片と前記隠蔽紙片を容易に係合して固定できるという効果を奏する。
【００２２】
本発明のカード紙片付印刷物においては、前記係合固定手段が前記カード紙片に形成された前記隠蔽紙片の一部が差し込まれる切り込みであるため、さらに、前記カード紙片及び前記隠蔽紙片の係合固定を簡易かつ確実に行うことができるという効果を奏する。
【００２３】
本発明のカード紙片付印刷物においては、前記カード紙片が葉書本体であるため、さらに、隠蔽の必要性の高い情報を隠蔽し、隠蔽した情報を確実に読み取ることができるという効果を奏する。
【図面の簡単な説明】
【００２４】
【図１】本発明の第１実施形態である実施例１の隠蔽紙片付カード（葉書）の正面図である。
【図２】図１の隠蔽紙片付葉書２において、隠蔽紙片３を葉書本体２に折り重ねて係合固定した状態の正面図である。
【図３】本発明の第２実施形態である実施例２の隠蔽紙片付カード（葉書）の正面図である。
【図４】図３の隠蔽紙片付葉書１２において、隠蔽紙片１３を葉書本体１２に折り重ねて係合固定した状態の正面図である。
【図５】図３の隠蔽紙片付葉書１２において、隠蔽紙片１３を葉書本体１２に折り重ねて係合固定した状態の背面図である。
【図６】本発明の第３実施形態である実施例３の隠蔽紙片付カード（葉書）の正面図である。
【図７】図６の隠蔽紙片付葉書２２において、隠蔽紙片２３を葉書本体２２に折り重ねて係合固定した状態の正面図である。
【図８】本発明の第４実施形態である実施例４のカード紙片付印刷物の正面図である。
【図９】図８のＡ部拡大図である。
【図１０】本発明の第５実施形態である実施例５のカード紙片付印刷物の正面図である。
【図１１】実施例５のカード紙片付印刷物を平面から見た状態を模式的に表した説明図である。
【図１２】実施例５のカード紙片付印刷物の背面図である。
【図１３】図１０のＸ１−Ｘ１断面である。
【図１４】カード紙片付印刷物５０を開いた状態の正面図である。
【図１５】図１４の開いた状態のカード紙片付印刷物５０を平面（上面）から見た状態を模式的に表した説明図である。
【図１６】本発明の第６実施形態である実施例６のカード紙片付印刷物の正面図である。
【図１７】実施例６のカード紙片付印刷物を底面から見た状態を模式的に表した説明図である。
【図１８】実施例６のカード紙片付印刷物の背面図である
【図１９】図１９は、図１６のＸ２−Ｘ２断面図である
【図２０】カード紙片付印刷物７０を開いた状態の正面図である。
【発明を実施するための形態】
【００２５】
以下、実施例１、実施例２、実施例３、実施例４、実施例５及び実施例６に基づいて本発明を実施するための形態を説明する。
【実施例１】
【００２６】
［隠蔽紙片付カード（葉書）の構成］
図１は、本発明の第１実施形態である実施例１の隠蔽紙片付カード（葉書）の正面図であり、図中、１は隠蔽紙片付カードとなる隠蔽紙片付葉書、２はカード紙片となる葉書本体、３は隠蔽紙片、４ａ、４ｂは切り込み、５ａ、５ｂは隅部、７は不連続な切り込みであるミシン目、８は個人情報記載欄である。
【００２７】
図１に示すように、隠蔽紙片付葉書１は、葉書本体２と、葉書本体２に連設された隠蔽紙片３から構成される。葉書本体２には、係合固定手段となる傾斜した一対の切り込み４ａ、４ｂが設けられ、切り込み４ａ、４ｂの下方には、差出人の住所・氏名等を記載する個人情報記載欄８が設けられている。
また、隠蔽紙片３は、葉書本体２の切り込み４ａ、４ｂに差し込まれる一対の隅部５ａ、５ｂを有している。
そして、葉書本体２と隠蔽紙片３はミシン目７によって仕切られ、ミシン目７に沿って隠蔽紙片３を葉書本体２に折り重ねることができるようになっている。
【００２８】
［隠蔽紙片付カード（葉書）１の使用方法］
図２は、図１の隠蔽紙片付葉書２において、隠蔽紙片３を葉書本体２に折り重ねて係合固定した状態の正面図である。
以下、図に基づいて隠蔽紙片付葉書１の使用方法について説明する。
図２に示すように、ミシン目７に沿って隠蔽紙片３を葉書本体２に折り重ね、隠蔽紙片３の隅部５ａ、５ｂを葉書本体２の切り込み４ａ、４ｂに差し込むことにより、隠蔽紙片３の一部（隅部５ａ、５ｂ）を葉書本体２に係合させて固定させることができる。
このとき、切り込み４ａ、４ｂより下方に個人情報記載欄８が設けられているため、個人情報記載欄８に記載された差出人の住所・氏名等は、隠蔽紙片３によって完全に覆われ、差出人の住所・氏名等の個人情報を隠蔽した状態で隠蔽紙片付葉書１を郵送することができる。
【００２９】
隠蔽紙片付葉書１を受け取った受取人は、葉書本体２の切り込み４ａ、４ｂに差し込まれた隠蔽紙片３の隅部５ａ、５ｂを抜き取って、隠蔽紙片３を折り返すことにより、容易に個人情報記載欄１８の隠蔽の解除することができる。
このとき、隠蔽紙片３には粘着剤が一切使用されていないため、個人情報記載欄８に記載された住所・氏名等の個人情報が欠落したり汚れたりすることなく、隠蔽した個人情報を確実に読み取ることができる。
【実施例２】
【００３０】
［隠蔽紙片付カード（葉書）の構成］
図３は、本発明の第２実施形態である実施例２の隠蔽紙片付カード（葉書）の正面図であり、図中、１１は隠蔽紙片付カードとなる隠蔽紙片付葉書、１２はカード紙片となる葉書本体、１３は隠蔽紙片、１４ａ、１４ｂは切り込み、１５ａ、１５ｂは差し込み片、１６ａ、１６ｂは切り込み、１７は不連続な切り込みであるミシン目、１８は個人情報記載欄である。
【００３１】
図２に示すように、隠蔽紙片付葉書１１は、葉書本体１２と、葉書本体１２に連設された隠蔽紙片１３から構成される。葉書本体１２には、係合固定手段となる傾斜した一対の切り込み１４ａ、１４ｂが設けられ、切り込み１４ａ、１４ｂの下方には、差出人の住所・氏名等を記載する個人情報記載欄１８が設けられている。
また、隠蔽紙片１３の左右の隅部には、Ｌ字状の切り込み１６ａ、１６ｂが設けられ、葉書本体１２の切り込み１４ａ、１４ｂに差し込まれる一対の差し込み片１５ａ、１５ｂが形成されている。
そして、葉書本体１２と隠蔽紙片１３はミシン目１７によって仕切られ、ミシン目１７に沿って隠蔽紙片１３を葉書本体１２に折り重ねることができるようになっている。
【００３２】
［隠蔽紙片付カード（葉書）１１の使用方法］
図４は、図３の隠蔽紙片付葉書１２において、隠蔽紙片１３を葉書本体１２に折り重ねて係合固定した状態の正面図であり、図５は、隠蔽紙片１３を葉書本体１２に折り重ねて係合固定した状態の背面図である。
図４、図５に示すように、ミシン目１７に沿って隠蔽紙片１３を葉書本体１２に折り重ね、隠蔽紙片１３の差し込み片１５ａ、１５ｂを葉書本体１２の切り込み１４ａ、１４ｂに差し込むことにより、隠蔽紙片１３の一部（差し込み片１５ａ、１５ｂ）を葉書本体１２に係合させて固定させることができる。
このとき、切り込み１４ａ、１４ｂより下方に個人情報記載欄１８が設けられているため、個人情報記載欄１８に記載された差出人の住所・氏名等は、隠蔽紙片１３によって完全に覆われ、差出人の住所・氏名等の個人情報を隠蔽した状態で隠蔽紙片付葉書１１を郵送することができる。
【００３３】
隠蔽紙片付葉書１１を受け取った受取人は、葉書本体１２の切り込み１４ａ、１４ｂに差し込まれた隠蔽紙片１３差し込み片１５ａ、１５ｂを抜き取って、隠蔽紙片１３を折り返すことにより、容易に個人情報記載欄１８の隠蔽の解除することができる。
このとき、隠蔽紙片１３には粘着剤が一切使用されていないため、個人情報記載欄１８に記載された住所・氏名等の個人情報が欠落したり汚れたりすることなく、隠蔽した個人情報を確実に読み取ることができる。
【実施例３】
【００３４】
［隠蔽紙片付カード（葉書）の構成］
図６は、本発明の第３実施形態である実施例３の隠蔽紙片付カード（葉書）の正面図であり、図中、２１は隠蔽紙片付カードとなる隠蔽紙片付葉書、２２はカード紙片となる葉書本体、２３は隠蔽紙片、２４ａ、２４ｂは切り込み、２５ａ、２５ｂは矢印状の差し込み片、２７は不連続な切り込みであるミシン目、２８は個人情報記載欄である。
【００３５】
図６に示すように、隠蔽紙片付葉書２１は、葉書本体２２と、葉書本体２２に連設された隠蔽紙片２３から構成される。葉書本体２２には、係合固定手段となる傾斜した一対の切り込み２４ａ、２４ｂが設けられ、切り込み２４ａ、２４ｂの下方には、差出人の住所・氏名等を記載する個人情報記載欄２８が設けられている。
また、隠蔽紙片２３の左右の隅部には、葉書本体２２の切り込み２４ａ、２４ｂに差し込まれる矢印状の一対の差し込み片２５ａ、２５ｂが形成されている。
そして、葉書本体２２と隠蔽紙片２３はミシン目２７によって仕切られ、ミシン目２７に沿って隠蔽紙片２３を葉書本体２２に折り重ねることができるようになっている。
【００３６】
［隠蔽紙片付カード（葉書）２１の使用方法］
図７は、図６の隠蔽紙片付葉書２２において、隠蔽紙片２３を葉書本体２２に折り重ねて係合固定した状態の正面図である。
以下、図に基づいて隠蔽紙片付葉書２１の使用方法について説明する。
図７に示すように、ミシン目２７に沿って隠蔽紙片２３を葉書本体２２に折り重ね、隠蔽紙片２３の差し込み片２５ａ、２５ｂを葉書本体２２の切り込み２４ａ、２４ｂに差し込むことにより、隠蔽紙片２３の一部（差し込み片２５ａ、２５ｂ）を葉書本体２２に係合させて固定させることができる。
このとき、切り込み２４ａ、２４ｂより下方に個人情報記載欄２８が設けられているため、個人情報記載欄２８に記載された差出人の住所・氏名等は、隠蔽紙片２３によって完全に覆われ、差出人の住所・氏名等の個人情報を隠蔽した状態で隠蔽紙片付葉書２１を郵送することができる。
【００３７】
隠蔽紙片付葉書２１を受け取った受取人は、葉書本体２２の切り込み２４ａ、２４ｂに差し込まれた隠蔽紙片２３の差し込み片２５ａ、２５ｂを抜き取って、隠蔽紙片２３を折り返すことにより、容易に個人情報記載欄２８の隠蔽の解除することができる。
このとき、隠蔽紙片２３には粘着剤が一切使用されていないため、個人情報記載欄２８に記載された住所・氏名等の個人情報が欠落したり汚れたりすることなく、隠蔽した個人情報を確実に読み取ることができる。
【実施例４】
【００３８】
［カード紙片付印刷物の構成］
図８は、本発明の第４実施形態である実施例４のカード紙片付印刷物の正面図であり、図中、３０はカード紙片付印刷物、３１は隠蔽紙片付葉書（部分）、３２はカード紙片、３３は隠蔽紙片、３４ａ、３４ｂは切り込み、３５ａ、３５ｂは隅部、３７は不連続な切り込みであるミシン目、３８は個人情報記載欄、３９は打抜き溝、４０は用紙である。
【００３９】
図８に示すように、カード紙片付印刷物３０は、用紙４０と、用紙４０に分離可能に形成された葉書本体となるカード紙片３２と、用紙４０に分離可能に形成された隠蔽紙片３３から構成され、カード紙片３２と隠蔽紙片３３は連設されて隠蔽紙片付葉書（部分）３１となっている。
隠蔽紙片付葉書（部分）３１は、用紙４０に設けられた打抜き溝３９によってその外形が形成され、打抜き溝３９の部分で用紙４０から分離することができる。
そして、用紙４０から分離した隠蔽紙片付葉書（部分）３１は、実施例１の隠蔽紙片付葉書１と同じ構成であり、カード紙片３２は隠蔽紙片付葉書１の葉書本体２に相当し、隠蔽紙片３３は隠蔽紙片付葉書１の隠蔽紙片３に相当する。
すなわち、カード紙片３２には、葉書本体２と同様に、係合固定手段となる傾斜した一対の切り込み３４ａ、３４ｂが設けられ、切り込み３４ａ、３４ｂの下方には、差出人の住所・氏名等を記載する個人情報記載欄３８が設けられている。
また、隠蔽紙片３３は、隠蔽紙片３と同様に、カード紙片３２の切り込み３４ａ、３４ｂに差し込まれる一対の隅部３５ａ、３５ｂを有している。
そして、カード紙片３２と隠蔽紙片３３はミシン目３７によって仕切られ、ミシン目３７に沿って隠蔽紙片３３をカード紙片３２に折り重ねることができるようになっている。
【００４０】
［打抜き溝３９］
図９は、図８のＡ部拡大図であり、図中、３９ａは打抜き部となる溝部、３９ｂは非打抜き部となる連結部である。
図９に示すように、打抜き溝３９は、交互に配置された溝部３９ａと連結部３９ｂからなり、連結部３９ｂを破断することにより、隠蔽紙片付葉書（部分）３１を用紙４０から分離することができる。
そして、打抜き溝３９において、溝部３９ａより連結部３９ｂを短くすることにより、隠蔽紙片付葉書（部分）３１を用紙４０から容易に分離することができるが、溝部３９ａと連結部３９ｂの長さの割合は、用紙４０の厚みと材質に応じて適宜決定される。
【００４１】
［カード紙片付印刷物３０の使用方法］
カード紙片付印刷物３０において、隠蔽紙片付葉書（部分）３１は、打抜き溝３９の連結部３９ｂによって用紙４０と連結されているだけであり、連結部３９ｂを破断することにより、用紙４０から隠蔽紙片付葉書（部分）３１を容易に分離することができる。
用紙４０から分離した隠蔽紙片付葉書３１は、実施例１の隠蔽紙片付葉書１と同じ構成であり、隠蔽紙片付葉書１と同様にして使用することができる。
すなわち、ミシン目３７に沿って隠蔽紙片３３をカード紙片３２に折り重ね、隠蔽紙片３３の隅部３５ａ、３５ｂをカード紙片３２の切り込み３４ａ、３４ｂに差し込むことにより、隠蔽紙片３３の一部（隅部３５ａ、３５ｂ）をカード紙片３２に係合させて固定させることができる。
このとき、切り込み３４ａ、３４ｂより下方に個人情報記載欄３８が設けられているため、個人情報記載欄３８に記載された差出人の住所・氏名等は、隠蔽紙片３３によって完全に覆われ、差出人の住所・氏名等の個人情報を隠蔽した状態で隠蔽紙片付葉書３１を郵送することができる。
【００４２】
隠蔽紙片付葉書３１を受け取った受取人は、カード紙片３２の切り込み３４ａ、３４ｂに差し込まれた隠蔽紙片３３の隅部３５ａ、３５ｂを抜き取って、隠蔽紙片３３を折り返すことにより、容易に個人情報記載欄３８の隠蔽の解除することができる。
このとき、隠蔽紙片３３には粘着剤が一切使用されていないため、個人情報記載欄３８に記載された住所・氏名等の個人情報が欠落したり汚れたりすることなく、隠蔽した個人情報を確実に読み取ることができる。
【００４３】
［隠蔽紙片付葉書（部分）３１等の変形例］
カード紙片付印刷物３０において、隠蔽紙片付葉書（部分）３１は、実施例１の隠蔽紙片付葉書１と同じ構成のものとしたが、これに代えて、実施例２の隠蔽紙片付葉書１１や実施例３の隠蔽紙片付葉書２１と同じ構成のものとしてもよい。
また、隠蔽紙片３３はカード紙片３２に連設させて用紙４０に形成したが、隠蔽紙片３３をカード紙片３２から分離して用紙４０に形成に形成してもよい。この場合は、カード紙片３２には、隠蔽紙片３３の一方の隅部３５ａ、３５ｂを差し込む切り込み３４ａ、３４ｂの他に、隠蔽紙片３３の他方の一対の隅部を差し込む一対の切り込みが設けられる。
【実施例５】
【００４４】
［カード紙片付印刷物の構成］
図１０は、本発明の第５実施形態である実施例５のカード紙片付印刷物の正面図、図１１は、実施例５のカード紙片付印刷物を平面から見た状態を模式的に表した説明図、図１２は、実施例５のカード紙片付印刷物の背面図、図１３は、図１０のＸ１−Ｘ１断面図である。
図中、５０はカード紙片付印刷物、５１は隠蔽紙片付葉書（部分）、５１ａは打ち抜き枠、５１ｂは切り込み、５２はカード紙片、５３は隠蔽紙片、５４ａ、５４ｂは切り込み、５５ａ、５５ｂは隅部、５７は不連続な切り込みであるミシン目、５８は個人情報記載欄、６０は用紙、６０ａは左側面部、６０ｂは中央面部、６０ｃは右側面部、６１は補強用紙、６２は用紙６０に補強用紙６１を貼り合せた貼り合せ部分、６３（６３ａ、６３ｂ、６３ｃ）は擬似接着剤層、６４は非剥離性の接着剤層である。
【００４５】
図１０〜図１３に示すように、カード紙片付印刷物５０は、第１の面となる左側面部６０ａ、中央面部６０ｂ、右側面部６０ｃからなる用紙６０と、用紙６０の中央面部６０ｂの左半分に、補強用紙６１が接着剤層６４を介して貼り付けられ、これにより形成された貼り合せ部分６２とから構成され、貼り合せ部分６２は第２の面となる。この貼り合せ部分６２においては、用紙６０と補強用紙６１を貫通する切り込み５１ｂからなる打ち抜き枠５１ａにより、カード紙片５２と隠蔽紙片５３が連設された隠蔽紙片付葉書（部分）５１が形成されている。
そして、左側面部６０ａと右側面部６０ｃが中央面部６０ｂ側に折り重ねられ、左側面部６０ａが擬似接着層６３（６３ａ、６３ｃ）を介して隠蔽紙片付葉書（部分）５１を含む貼り合せ部分６２に擬似接着され、右側面部６０ｃが擬似接着層６３（６３ｂ）を介して中央面部６０ｂに擬似接着されている。
隠蔽紙片付葉書（部分）５１は、実施例１の隠蔽紙片付葉書１と同じ構成であり、カード紙片５２は隠蔽紙片付葉書１の葉書本体２に相当し、隠蔽紙片５３は隠蔽紙片付葉書１の隠蔽紙片３に相当する。
すなわち、カード紙片５２には、葉書本体２と同様に、係合固定手段となる傾斜した一対の切り込み５４ａ、５４ｂが設けられ、切り込み５４ａ、５４ｂの下方には、差出人の住所・氏名等を記載する個人情報記載欄５８が設けられている。
また、隠蔽紙片５３は、隠蔽紙片３と同様に、カード紙片５２の切り込み５４ａ、５４ｂに差し込まれる一対の隅部５５ａ、５５ｂを有している。
そして、カード紙片５２と隠蔽紙片５３はミシン目５７によって仕切られ、ミシン目５７に沿って隠蔽紙片５３をカード紙片５２に折り重ねることができるようになっている。
【００４６】
［擬似接着層６３、接着層６４］
擬似接着層６３は、容易に剥離可能で通常の状態では再接着しない接着剤からなる接着層である。そして、左側面部６０ａと貼り合せ部分６２を擬似接着する擬似接着層６３は、左側面部６０ａの上縁、左縁、下縁の近傍に設けられた擬似接着層６０ａと、隠蔽紙片付葉書（部分）５１の上縁近傍、中央部、下縁近傍部に重なる左側面部６０ａの部分に設けられた擬似接着層６３ｃとからなり、右側面部６０ｃと中央面部６０ｂを擬似接着する擬似接着層６３（６３ｂ）は、右側面部６０ｃの上縁、右縁、下縁の近傍に設けられている。この場合、擬似接着層６３ｃにより、左側面部６０ａと、カード紙片５２及び隠蔽紙片５３が擬似接着される（図１３参照）。
また、接着層６４は、非剥離性の接着剤からなる接着層であり、補強用紙６１のほぼ全面が、接着層６４を介して用紙６０と貼り合わされている。（図１３参照）。
【００４７】
［カード紙片付印刷物５０の使用方法］
図１４は、カード紙片付印刷物５０を開いた状態の正面図、図１５は、図１４の開いた状態のカード紙片付印刷物５０を平面（上面）から見た状態を模式的に表した説明図であり、図中、５１ｃは開口部、ｆ１、ｆ２は折り線である。
以下図に基づいてカード紙片付印刷物５０の使用方法について説明する。
カード紙片付印刷物５０においては、擬似接着層６３（６３ａ、６３ｂ）が容易に剥離するため、左側面部６０ａを貼り合せ部分６２から剥がして折り線ｆ１に沿って折り返し、右側面部６０ｃを中央面部６０ｂから剥がして折り線ｆ２に沿って折り返すことにより、容易にカード紙片付印刷物５０を開くことができる。
このようにしてカード紙片付印刷物５０を開くと、隠蔽紙片付葉書（部分）５１の周囲が打抜かれて切り込み５１ｂが形成されているから、隠蔽紙片付葉書（部分）５１は、左側面部６０ａに付着（擬似接着層６３ｃにより擬似接着）した状態で、貼り合せ部分６２から分離され、貼り合せ部分６２には、切り込み枠５１ａによる開口部５１ｃが形成される（図１４参照）。
そして、左側面部６０ａに擬似接着層６３ｃを介して擬似接着されている隠蔽紙片付葉書（部分）５１は、左側面部６０ａから容易に剥がすことができる。
このようにして取り出した隠蔽紙片付葉書５１は、実施例１の隠蔽紙片付葉書１と同じ構成であり、隠蔽紙片付葉書１と同様にして使用することができる。
すなわち、ミシン目５７に沿って隠蔽紙片５３をカード紙片５２に折り重ね、隠蔽紙片５３の隅部５５ａ、５５ｂをカード紙片５２の切り込み５４ａ、５４ｂに差し込むことにより、隠蔽紙片５３の一部（隅部５５ａ、５５ｂ）をカード紙片５２に係合させて固定させることができる。
このとき、切り込み５４ａ、５４ｂより下方に個人情報記載欄５８が設けられているため、個人情報記載欄５８に記載された差出人の住所・氏名等は、隠蔽紙片５３によって完全に覆われ、差出人の住所・氏名等の個人情報を隠蔽した状態で隠蔽紙片付葉書５１を郵送することができる。
【００４８】
隠蔽紙片付葉書５１を受け取った受取人は、カード紙片５２の切り込み５４ａ、５４ｂに差し込まれた隠蔽紙片５３の隅部５５ａ、５５ｂを抜き取って、隠蔽紙片５３を折り返すことにより、容易に個人情報記載欄５８の隠蔽の解除することができる。
このとき、隠蔽紙片５３には粘着剤が使用されていないため、個人情報記載欄５８に記載された住所・氏名等の個人情報が欠落したり汚れたりすることなく、隠蔽した個人情報を確実に読み取ることができる。
なお、隠蔽紙片付葉書５１を左側面部６０ａから剥がす際に、擬似接着層６３ｃの一部がカード紙片５２に転移して付着するが、擬似接着層６３ｃはシール用の粘着剤と異なり再接着性がなく、カード紙片５２に重ねた隠蔽紙片５３を折り返しても、個人情報記載欄５８に記載された住所・氏名等の個人情報が欠落したり汚れたりすることはない。
【００４９】
［隠蔽紙片付葉書（部分）５１等の変形例］
カード紙片付印刷物５０において、隠蔽紙片付葉書（部分）５１は、実施例１の隠蔽紙片付葉書１と同じ構成のものとしたが、これに代えて、実施例２の隠蔽紙片付葉書１１や実施例３の隠蔽紙片付葉書２１と同じ構成のものとしてもよい。
また、隠蔽紙片５３はカード紙片５２に連設させて貼り合せ部分６２に形成したが、隠蔽紙片５３をカード紙片５２から分離して貼り合せ部分６２に形成に形成してもよい。この場合は、カード紙片５２には、隠蔽紙片５３の一方の隅部５５ａ、５５ｂを差し込む切り込み５４ａ、５４ｂの他に、隠蔽紙片５３の他方の一対の隅部を差し込む一対の切り込みが設けられる。
【００５０】
［貼り合せ部分６２等の変形例］
カード紙片付印刷物５０においては、中央面部６０ｂの左半分に第２の用紙６１を貼り合わせて貼り合せ部分６２を形成したが、左側面部６０ａ又は右側面部６０ｃに第２の用紙６１を貼り合わせて貼り合せ部分６２を形成し、そこに隠蔽紙片付葉書（部分）５１を設けてもよい。この場合は、左側面部６０ａ又は右側面部６０ｃを開くと、中央面部６０ｂに隠蔽紙片付葉書（部分）５１が付着（擬似接着）する。
また、カード紙片付印刷物５０においては、用紙６０に補強用紙６１を貼り合わせた貼り合せ部分６２を打ち抜いて隠蔽紙片付葉書（部分）５１を形成したが、補強用紙６１を使用せず、用紙６１の左側面部６０ａ、中央面部６０ｂ、右側面部６０ｃのいずれかを打ち抜いて隠蔽紙片付葉書（部分）５１を形成してもよい。この場合、用紙６０は、広告印刷物用の薄い用紙ではなく、葉書と同程度の厚みのある厚い用紙を使用する。
さらに、カード紙片付印刷物５０は、左側面部６０ａ、中央面部６０ｂ及び右側面部６０ｃからなる３つ折り形態であるが、２面からなる２つ折り形態や４面以上の多面からなる多面折り形態としてもよい。２つ折り形態の場合は、左右のいずれかの面に打ち抜きにより隠蔽紙片付葉書（部分）５１が形成され、左右の面同士が擬似接着され、隠蔽紙片付葉書（部分）５１とこれに重なる面が擬似接着される。
【実施例６】
【００５１】
［カード紙片付印刷物の構成］
図１６は、本発明の第６実施形態である実施例６のカード紙片付印刷物の正面図、図１７は、実施例６のカード紙片付印刷物を底面から見た状態を模式的に表した説明図、図１８は、実施例６のカード紙片付印刷物の背面図、図１９は、図１６のＸ２−Ｘ２断面図である。
図中、７０はカード紙片付印刷物、７１は隠蔽紙片付葉書（部分）、７１ａは打ち抜き枠、７１ｂは切り込み、７２はカード紙片、７３は隠蔽紙片、７４ａ、７４ｂは切り込み、７５ａ、７５ｂは隅部、７７は不連続な切り込みであるミシン目、７８は個人情報記載欄、８０は第１の用紙、８１は第２の用紙、８２は補強用紙、８０ａは第１の用紙８０のうちの補強用紙８１を貼り合せた貼り合せ部分、８０ｂは第１の用紙８０のうちの貼り合せ部分８０ａ以外の非貼り合せ部分、８３（８３ａ、８３ｂ）は擬似接着剤層、８４（８４ａ、８４ｂ）は非剥離性の接着剤層、８５はミシン目である。
【００５２】
図１６〜図１９に示すように、カード紙片付印刷物７０は、第１の用紙８０と、第２の用紙８１とから構成され、第１の用紙８０は、その左半分に補強用紙８２が接着剤層８４（８４ａ）を介して貼り付けられた貼り合せ部分８０ａとそれ以外の非貼り合せ部分８０ｂからなる。この貼り合せ部分８０ａにおいては、第１の用紙８０と補強用紙８２を貫通する切り込み７１ｂからなる打ち抜き枠７１ａにより、カード紙片７２と隠蔽紙片７３が連設された隠蔽紙片付葉書（部分）７１が形成されている。
そして、第２の用紙８１が、第１の用紙８０の貼り合せ部分８０ａと非貼り合せ部分８０ｂに重ねられ、上縁部近傍が接着剤層８４（８４ｂ）を介して接着されて、それ以外の部分が擬似接着層８３（８３ａ、８３ｂ）を介して擬似接着されている。
また、カード紙片付印刷物７０の上縁近傍には、接着剤層８４ｂの下縁に沿って、第１の用紙８０と第２の用紙８１を貫通するミシン目８５が設けられ、第１の用紙８０と第２の用紙８１を擬似接着層８３ａから剥がした場合に、第１の用紙８０または第２の用紙８１をミシン目８５に沿って折り返せるようになっている。
【００５３】
［擬似接着層８３、接着層８４］
擬似接着層８３は、容易に剥離可能で通常の状態では再接着しない接着剤からなる接着層である。そして、第１の用紙８０（貼り合せ部分８０ａと非貼り合せ部分８０ｂ）と、第２の用紙８１を擬似接着する擬似接着層８３は、第２の用紙８１の左縁、右縁、下縁の近傍に設けられた擬似接着層８３ａと、隠蔽紙片付葉書（部分）７１の上縁、下縁近傍と中央部に設けられた擬似接着層８３ｂとからなる。この場合、擬似接着層８３ｂにより、第２の用紙８１と、カード紙片７２及び隠蔽紙片７３が擬似接着される（図１９参照）。
また、接着層８４は、非剥離性の接着剤からなる接着層であり、補強用紙８２のほぼ全面が、接着層８４ａを介して第１の用紙８０と貼り合わされ、さらに、第１の用紙８０（貼り合せ部分８０ａと非貼り合せ部分８０ｂ）の上縁部近傍が、接着剤層８４ｂを介して第２の用紙８１に貼り合わされている（図１９参照）。
【００５４】
［カード紙片付印刷物７０の使用方法］
図２０は、カード紙片付印刷物７０を開いた状態の正面図であり、図中、７１ｃは開口部である。
以下図に基づいてカード紙片付印刷物７０の使用方法について説明する。
カード紙片付印刷物７０においては、擬似接着層８３ａが容易に剥離するため、第１の用紙８０（貼り合せ部分８０ａと非貼り合せ部分８０ｂ）を第２の用紙８１から剥がしてミシン目８５に沿って折り返すことにより、容易にカード紙片付印刷物７０を開くことができる。
このようにしてカード紙片付印刷物７０を開くと、隠蔽紙片付葉書（部分）７１の周囲が打抜かれて切り込み７１ｂが形成されているから、隠蔽紙片付葉書（部分）７１は、第２の用紙８１に付着（擬似接着層８３ｂにより擬似接着）した状態で、貼り合せ部分８０ａから分離され、貼り合せ部分８０ａには、切り込み枠７１ａによる開口部７１ｃが形成される（図２０参照）。
そして、第２の用紙８１に擬似接着層８３ｂを介して擬似接着されている隠蔽紙片付葉書（部分）７１は、第２の用紙８１から容易に剥がすことができる。
このようにして取り出した隠蔽紙片付葉書７１は、実施例１の隠蔽紙片付葉書１と同じ構成であり、隠蔽紙片付葉書１と同様にして使用することができる。
すなわち、ミシン目７７に沿って隠蔽紙片７３をカード紙片７２に折り重ね、隠蔽紙片７３の隅部７５ａ、７５ｂをカード紙片７２の切り込み７４ａ、７４ｂに差し込むことにより、隠蔽紙片７３の一部（隅部７５ａ、７５ｂ）をカード紙片７２に係合させて固定させることができる。
このとき、切り込み７４ａ、７４ｂより下方に個人情報記載欄７８が設けられているため、個人情報記載欄７８に記載された差出人の住所・氏名等は、隠蔽紙片７３によって完全に覆われ、差出人の住所・氏名等の個人情報を隠蔽した状態で隠蔽紙片付葉書７１を郵送することができる。
【００５５】
隠蔽紙片付葉書７１を受け取った受取人は、カード紙片７２の切り込み７４ａ、７４ｂに差し込まれた隠蔽紙片７３の隅部７５ａ、７５ｂを抜き取って、隠蔽紙片７３を折り返すことにより、容易に個人情報記載欄７８の隠蔽の解除することができる。
このとき、隠蔽紙片７３には粘着剤が使用されていないため、個人情報記載欄７８に記載された住所・氏名等の個人情報が欠落したり汚れたりすることなく、隠蔽した個人情報を確実に読み取ることができる。
なお、隠蔽紙片付葉書７１を第２の用紙８１から剥がす際に、擬似接着層８３ｂの一部がカード紙片７２に転移して付着するが、擬似接着層８３ｂはシール用の粘着剤と異なり再接着性がなく、カード紙片７２に重ねた隠蔽紙片７３を折り返しても、個人情報記載欄７８に記載された住所・氏名等の個人情報が欠落したり汚れたりすることはない。
【００５６】
［隠蔽紙片付葉書（部分）７１等の変形例］
カード紙片付印刷物７０において、隠蔽紙片付葉書（部分）７１は、実施例１の隠蔽紙片付葉書１と同じ構成のものとしたが、これに代えて、実施例２の隠蔽紙片付葉書１１や実施例３の隠蔽紙片付葉書２１と同じ構成のものとしてもよい。
また、隠蔽紙片７３はカード紙片７２に連設させて第１の用紙８０の貼り合せ部分８０ａに形成したが、隠蔽紙片７３をカード紙片７２から分離して貼り合せ部分８０ａに形成に形成してもよい。この場合は、カード紙片７２には、隠蔽紙片７３の一方の隅部７５ａ、７５ｂを差し込む切り込み７４ａ、７４ｂの他に、隠蔽紙片７３の他方の一対の隅部を差し込む一対の切り込みが設けられる。
【００５７】
［第１の用紙８０の貼り合せ部分８０ａ等の変形例］
カード紙片付印刷物７０においては、第１の用紙８０の左半分に補強用紙６１を貼り合わせて貼り合せ部分６２を形成したが、左側面部６０ａ又は右側面部６０ｃに第２の用紙６１を貼り合わせて貼り合せ部分６２を形成し、そこに隠蔽紙片付葉書（部分）５１を設けてもよい。この場合は、左側面部６０ａ又は右側面部６０ｃを開くと、中央面部６０ｂに隠蔽紙片付葉書（部分）５１が付着（擬似接着）する。
また、カード紙片付印刷物５０においては、第１の用紙８０に補強用紙８２を貼り合わせた貼り合せ部分８０ａを打ち抜いて隠蔽紙片付葉書（部分）７１を形成したが、補強用紙８２を使用せず、第１の用紙８０を打ち抜いて隠蔽紙片付葉書（部分）７１を形成してもよい。この場合、第１の用紙８０は、広告印刷物用の薄い用紙ではなく、葉書と同程度の厚みのある厚い用紙を使用する。
【産業上の利用可能性】
【００５８】
本発明の隠蔽紙片付カード、カード紙片付印刷物は、カード紙片の隠蔽した情報が欠落したり汚れたりすることなく、隠蔽した情報を確実に読み取ることができるものである。
【符号の説明】
【００５９】
１  隠蔽紙片付葉書
２  葉書本体
３  隠蔽紙片
４ａ、４ｂ  切り込み
５ａ、５ｂ  隅部
７  ミシン目
８  個人情報記載欄
１１  隠蔽紙片付葉書
１２  葉書本体
１３  隠蔽紙片
１４ａ、１４ｂ  切り込み
１５ａ、１５ｂ  差し込み片
１６ａ、１６ｂ  切り込み
１７  ミシン目
１８  個人情報記載欄
２１  隠蔽紙片付葉書
２２  葉書本体
２３  隠蔽紙片
２４ａ、２４ｂ  切り込み
２５ａ、２５ｂ  差し込み片
２７  ミシン目
２８  個人情報記載欄
３０  カード紙片付印刷物
３１  隠蔽紙片付葉書（部分）
３２  カード紙片
３３  隠蔽紙片
３４ａ、３４ｂ  切り込み
３５ａ、３５ｂ  隅部
３７  ミシン目
３８  個人情報記載欄
３９  打抜き溝
４０  用紙
５０  カード紙片付印刷物
５１  隠蔽紙片付葉書（部分）
５１ａ  打ち抜き枠
５１ｂ  切り込み
５２  カード紙片
５３  隠蔽紙片
５４ａ、５４ｂ  切り込み
５５ａ、５５ｂ  隅部
５７  ミシン目
５８  個人情報記載欄
６０  用紙
６０ａ  左側面部
６０ｂ  中央面部
６０ｃ  右側面部
６１  補強用紙
６２  貼り合せ部分
６３、６３ａ、６３ｂ、６３ｃ  擬似接着剤層
６４  接着剤層
７０  カード紙片付印刷物
７１  隠蔽紙片付葉書（部分）
７１ａ  打ち抜き枠
７１ｂ  切り込み
７２  カード紙片
７３  隠蔽紙片
７４ａ、７４ｂ  切り込み
７５ａ、７５ｂ  隅部
７７  ミシン目
７８  個人情報記載欄
８０  第１の用紙
８０ａ  貼り合せ部分
８０ｂ  非貼り合せ部分
８１  第２の用紙
８２  補強用紙
８３、８３ａ、８３ｂ  擬似接着剤層
８４、８４ａ、８４ｂ  接着剤層
８５  ミシン目
【図１】
2017013326.tif 000003
【図２】
2017013326.tif 000004
【図３】
2017013326.tif 000005
【図４】
2017013326.tif 000006
【図５】
2017013326.tif 000007
【図６】
2017013326.tif 000008
【図７】
2017013326.tif 000009
【図８】
2017013326.tif 000010
【図９】
2017013326.tif 000011
【図１０】
2017013326.tif 000012
【図１１】
2017013326.tif 000013
【図１２】
2017013326.tif 000014
【図１３】
2017013326.tif 000015
【図１４】
2017013326.tif 000016
【図１５】
2017013326.tif 000017
【図１６】
2017013326.tif 000018
【図１７】
2017013326.tif 000019
【図１８】
2017013326.tif 000020
【図１９】
2017013326.tif 000021
【図２０】
2017013326.tif 000022